(57)【要約】【課題】上面に設けた太陽電池の角度を変えることができる庇であって、回動装置を小型にできるとともに設置が容易で安価に製造でき、且つ外観の良好な庇を提供する。【解決手段】本発明による庇１は、前枠９と左右の側枠１１とを有し側枠１１の後側端部１１ｂを外壁２に固定した枠体３と、上面に太陽電池１３を有し枠体３内に配置したパネル５と、パネル５の下で且つ枠体３内に配置してパネルを回動するアーム７とを備え、パネル５は前側端部を前枠９と平行な軸２７により枠体３に回動自在に固定してあり、アーム７は、伸縮するものであり、前側端部７ａを前枠９と平行な軸１９により枠体３に回動自在に固定してあり、後側端部２１ｂをパネル５の下面に固定してあり、アーム７が回動し且つ伸びることにより、パネル５を上方に回動する。【選択図】      図１
2004169489.tif 000002
【特許請求の範囲】
【請求項１】
前枠と左右の側枠とを有し側枠の後側端部を外壁に固定した枠体と、上面に太陽電池を有し枠体内に配置したパネルと、パネルの下で且つ枠体内に配置してパネルを回動するアームとを備え、パネルは前側端部を前枠と平行な軸により枠体に回動自在に固定してあり、アームは、伸縮するものであり、前側端部を前枠と平行な軸により枠体に回動自在に固定してあり、後側端部をパネルの下面に固定してあり、アームが回動し且つ伸びることにより、パネルを上方に回動することを特徴とする庇。
【発明の詳細な説明】
【０００１】
【発明の属する技術分野】
本発明は、庇の上面に太陽電池を備える庇に関する。
【０００２】
【従来の技術】
この種の従来技術として、下記特許文献１には、枠体と、上面に太陽電池を配置したパネルから構成される庇全体を回動装置により回動させる技術が開示されている。この従来技術では、庇の荷重を受ける支持軸を設け、この支持軸を庇の左右に設置した回動装置により回動させて太陽電池の角度を変えている。
【０００３】
【特許文献１】
特開２０００−２０４７３５号公報
【０００４】
【発明が解決しようとする課題】
しかし、上述の公報に開示の技術では、回動軸が庇全体の荷重を受けるとともに、回動装置により庇全体を回動させるので回動装置が大型で、製造コストも高くなり、且つ回動装置が大型であるために回動装置の設置もし難いという不都合がある。
また、大型の回動装置を庇の横に設けているので、回動装置が外部から見え外観を損ねるという不都合がある。
そこで、本発明は、上面に設けた太陽電池の角度を変えることができる庇であって、回動装置を小型にできるとともに設置が容易で安価に製造でき、且つ外観の良好な庇の提供を目的とする。
【０００５】
【課題を解決するための手段】
請求項１に記載の発明は、前枠と左右の側枠とを有し側枠の後側端部を外壁に固定した枠体と、上面に太陽電池を有し枠体内に配置したパネルと、パネルの下で且つ枠体内に配置してパネルを回動するアームとを備え、パネルは前側端部を前枠と平行な軸により枠体に回動自在に固定してあり、アームは、伸縮するものであり、前側端部を前枠と平行な軸により枠体に回動自在に固定してあり、後側端部をパネルの下面に固定してあり、アームが回動し且つ伸びることにより、パネルを上方に回動することを特徴とする。
【０００６】
この請求項１に記載の発明では、パネル上面に配置した太陽電池の角度を変えるときには、アームを回動する。アームはその回動角度に応じて伸び、アームの先端が連結しているパネル後側端部を上方に回動し、パネルの角度を変える。
本発明では、庇の枠体は回動することなく、太陽電池が配置されているパネルのみを回動させるので、庇全体を回動する場合に比較して駆動力が小さく済む。また、駆動力が小さくて済むから、構成を簡易にでき且つ安価に製造することができる。
パネルを回動させるアーム及びこれに固定される軸は枠体内に収まっているので、外観が良い。更に、アームは、その前側端部を固定しているから、アームが回動したときにアーム下端が枠体より下に突出することを防止でき、アームの回動後にもアームが外から見えるのを防止できる。
アームはその後側端部をパネルの下面に固定しているので、アームが回動してパネルを上方に回動したときに、上方から庇を見てもアームがパネルの影に隠れて見えない。
庇は側枠の後側端部を外壁に固定しているので、従来技術のように庇全体の荷重を受ける支持軸を設ける必要がなく、且つ枠体を含む庇全体の重量を受けることなく施工できるので、施工がし易い。
【０００７】
【発明の実施の形態】
以下に、添付図面を参照して、本発明の実施の形態を詳細に説明する。図１は図２に示す庇のＥ−Ｅ縦断面図であり、図２は本実施の形態にかかる庇の平面図である。
本実施の形態にかかる庇１は、建物の外壁に固定された枠体３と、枠体３内に配置されたパネル５と、パネル５を回動するアーム７とを備えている。建物は本実施の形態では複数階建のビルであり、建物の外壁２はカーテンウォールである。庇１は、建物における各階毎の天井付近に対応して上下方向に複数設けられている。また、各階毎の庇１は、外壁２の左右方向にも複数連接されている。
枠体３は、前枠９と、前枠９の左右両側に設けた側枠１１、１１とで略コ字形状に形成されている。前枠９は外壁２から間隔を開けて配置しており、左右の側枠１１、１１はそれぞれ前側端部１１ａを前枠９に固定し、後側端部１１ｂを外壁２に固定している。
パネル５は、枠体３内に配置されており、本実施の形態では、枠体３は平面視が左右に長く外壁２とともに略長方形状を形成しており、この枠体３内に複数のパネル５が左右方向に隣合わせに配置されている。パネル５の上面には多数の太陽電池１３が配置されている。本実施の形態では、太陽電池１３を敷き詰めたユニット１５を２枚隣合わせにパネル５に設置している。パネル５において２つのユニット１５、１５間（左右方向の略中央）には、その下にアーム７が配置されている。
パネル５の前側端部５ａはヒンジ２５により前枠９に回動自在に固定されている。即ち、ヒンジ２５は前枠と平行な軸２７を有しており、この軸２７により前側端部５ａが回動自在になっている。
アーム７は、枠体３内で且つパネル５の下に配置されて、前枠３に固定したブラケット２８に回動自在に固定されている。更に、アーム７はその前側端部７ａを前枠９側に配置して、枠体３の前枠９と平行に設けた軸（以下「回動軸」という）１９により上下方向に回動自在に固定されている。尚、アーム７は、各パネル５の下に一つ設けてあり、本実施の形態では、枠体３内にはパネル５を複数設けているので、パネル５に対応する数だけ設けてある。回動軸１９は、枠体３内で左右方向に設けてあり、この回動軸１９には各アーム７がそれぞれ固定されている。したがって、一つの回動軸１９を回転駆動することにより、各アーム７を同時に同じ角度だけ回動できる。
アーム７は、基体８と基体８に対して伸縮可能なロッド２１で構成されており、基体８に対してロッド２１が伸縮することによりアーム７が伸縮するものである。このロッド２１は、アーム７内の油圧制御により、アーム７が所定角度回動するごとに所定の長さだけロッド２１が基体８から突出して且つその突出した長さを保持するようになっている。
各アーム７において、ロッド２１の先端（アームの後側端部）２１ｂは、共通の軸２３により連結されているとともに、軸２３は、パネル５に固定された軸受け２５に挿通されている。軸受け２５は、パネル５の左右端から下方に突設されている。このように、アーム７の後側端部２１ｂをパネルの下面後側位置に固定しているので、アームの回動軸１９からアームがパネル５を押し上げる作用点までの距離（腕の長さ）を長くでき、アームは更に小さな力でパネルを回動させることができる。
枠体３の下側には、遮蔽板３１が設けられており、枠体３内が下から見えないようになっている。したがって、枠体３内に配置されたアーム７、アーム７が固定されている回動軸１９、ロッド２１の先端に固定されている軸２３等の、枠体３内に収納されている各部品が外から見えないので外観がよい。この遮蔽板３１は、パンチングメタルである。
アーム７が固定されている回動軸１９は、駆動伝達軸３５を介してモータ３３に連結されている。回動軸１９と駆動伝達軸３５とはギアにより連結されており、モータ３３の回転軸の回転を回動軸１９に伝達している。モータ３３は、枠体３内に収納されており、太陽電池１３により蓄電された電力の供給を受けて駆動する。尚、外壁２の内側、即ち建物内にはモータ３３の駆動を制御する制御装置３７が設けられている。制御装置３７は、庇１が設置されている緯度、季節、時刻に応じて、太陽電池１３が太陽の方角を向くようにモータ３３の駆動を自動制御している。
【０００８】
次に、庇１の作用について説明する。枠体３内において、パネル５が閉じた状態では、アーム７は縮んだ状態にある。また、パネル５が閉じた状態では、アーム７は水平に位置しており、枠体３の上下方向の厚みＨ内に収納され、枠体３の上側はパネル５で覆われており、下側は遮蔽板３１で覆われているので、上からはもちろん下からもアーム７やその回動軸１９、駆動伝達軸３５等はすべて外から見えず、外観が良い。更に、モータ３３も枠体３内に位置しているので、外から見えない。
制御装置３７では、庇１が設置されている緯度、季節、時刻に応じて異なる太陽の位置に太陽電池１３が向くように、モータ３３の駆動を制御しており、例えば、時刻毎にパネルの角度を１５度、３０度、４５度と、６０度となるように、モータの駆動量を制御する。したがって、太陽電池は、効率良く日射を受けることができる。
モータ３３は太陽電池１３により蓄電された電力により駆動し、制御装置３７から駆動信号を受けると、モータ３３が所定量駆動して、モータ３３の軸の回転は、駆動伝達軸３５から回動軸１９に伝達され、回動軸１９が所定量回転することにより、アーム７がロッド２１を上に向けるようにして回動する。同時にアーム７では、アーム７の回動角度に応じてロッド２１を所定量だけ伸ばすとともに、その伸ばした位置でロッド２１が戻らないように、アーム７内の油圧を制御する。
アーム７は、太陽電池１３が設けられたパネル５のみを回動するので、枠体３を含めた庇全体を回動する場合に比較して、小さな力で太陽電池の角度を変えることができる。
このように、小さな力で太陽電池１３を太陽に向けることができるので、パネルを駆動する構成として、アーム７と、このアーム７を回動する回動軸１９という簡単で軽量な構成にすることができる。しかも、回動軸１９を駆動する力は小さくて済むので、大型のモータや複雑な駆動機構も要求されず、装置全体を簡易な構成にできる。特に、大型の構成を必要としないから、アーム７も枠体３内に収めることができる。
尚、パネル５を閉じた状態に戻すときには、アーム７に固定している回動軸１９を、パネル５を開くときと逆に回転させるとともに、アーム７のロッド２１を縮め、図１に実線で示す位置に戻す。
また、本実施の形態では、枠体３内には複数のパネル５が設けられており、各パネル５毎にアーム７が設けられており、且つアーム７に固定される回動軸１９は枠体３内にあるすべてのアーム７に連結されて共通の軸となっており、一つのモータ３３で各アーム７を同時に駆動するので、各アーム７毎にモータ３３を接続する場合に比較して、構成を簡易にできる。
アーム７の回動軸１９は、アーム７を回動させるだけであり、この回動軸１９が枠体３及びパネル５両方の重量を受けないので、細くでき且つ材料の自由度も高いとともに、軸受けもこの軸を通すだけで済み大きな力を受けないので、極めて簡易な構成にできる。
【０００９】
本発明は、上述した実施の形態に限らず、本発明の要旨を逸脱しない範囲で種々変形可能である。
例えば、枠体３内にはパネル５を１枚だけ設け、アーム７も一個のみ設けるものであってもよいし、一枚のパネル５に対して複数のアーム７を設けるものであってもよい。
アーム７を回動する場合には、回動軸１９を回転させないでアーム７のみを回動するものであってもよい。
アーム７に設けられている伸縮自在なロッド２１は、油圧制御に限らず、モータの駆動により伸縮させるものであってもよい。
アームの後側端部２１ｂとパネル５とを回動自在に連結する軸２３は、複数のアーム７のロッド２１に共通の通し軸でなく、個々のアーム７のロッド２１とパネル５とを連結する軸としてもよい。
アーム７の後側端部２１ｂはパネルの下面において後側位置に固定することに限らず、例えばパネルの前側と後側との間の中間位置であってもよい。
枠体３の下側には、遮蔽板３１を設けないものであってもよい。
アーム７に固定されている回動軸１９は、モータ３３により回転させることに限らず、他の駆動装置や手動により回転させるものであってもよい。
パネル５は前枠９と平行な軸２７により前枠９に固定することに限らず、前枠９と平行な軸２７により左右の側枠１１、１１に固定するものであってよい。
【００１０】
【発明の効果】
請求項１に記載の発明によれば、太陽電池の角度を変える場合には、太陽電池が配置されているパネルのみを回動するので、枠体を含む庇全体を回動する場合に比較して駆動力が小さく済む。駆動力が小さくて済むから、構成を簡易にでき且つ安価に製造することができる。
パネルを回動させるための装置であるアーム及びこれに固定される軸は枠体内に収まっているので、外観が良い。
更に、アームは、その前側端部を固定しているから、アームが回動したときにアーム下端が枠体より下に突出することを防止でき、アームの回動後にもアームが外から見えるのを防止できる。
アームはその後側端部をパネルの下面に固定しているので、アームが回動してパネルを上方に回動したときに、上方から庇を見てもアームがパネルの影に隠れて見えない。
庇は側枠の後側端部を外壁に固定しているので、枠を外壁に取り付け後にアームやパネル等の設置作業ができ、枠体を含む庇全体の重量を受けることなく施工できるので、施工がし易い。
【図面の簡単な説明】
【図１】図２に示す庇のＥ−Ｅ縦断面図である。
【図２】本実施の形態にかかる庇の平面図である。
【符号の説明】
１      庇
２      外壁
３      枠体
５      パネル
５ａ    パネルの前側端部
７      アーム
７ａ    アームの前側端部
９      前枠
１１    側枠
１１ｂ  側枠の後側端部
１３    太陽電池
１９    回動軸（アームの固定軸）
２１    ロッド
２１ｂ  ロッドの先端（アームの後側端部）
２７    前枠と平行な軸
【図１】
2004169489.tif 000003
【図２】
2004169489.tif 000004